(57)【要約】【課題】原画像上における人物の輪郭の位置と大きさから証明写真として適切な領域を計算して切り出すシステムにおいて、顔部の範囲指定方法に関する操作性の向上を目的にする。【解決手段】入力画像データ上で指定された顔領域の外接矩形から、所望の証明写真に必要な画像の切り出し領域を算出し、その切り出し画像を出力装置に供給する証明写真システムであって、顔範囲領域を示す矩形表示に加えて、その矩形内に楕円を表示することを特徴とする証明写真システム。【選択図】        図１
2004348199.tif 000002
【特許請求の範囲】
【請求項１】
入力画像データ上で指定された顔領域の外接矩形から、所望の証明写真に必要な画像の切り出し領域を算出し、その切り出し画像を出力装置に供給する証明写真システムであって、
顔範囲領域を示す矩形表示に加えて、その矩形内に楕円を表示すること
を特徴とする証明写真システム。
【請求項２】
請求項１において表示される楕円は、システム内に設けられたスイッチ機能によって非表示にもできることを特徴とする請求項１に記載の証明写真システム。
【発明の詳細な説明】
【０００１】
【発明の属する技術分野】
本発明は、証明写真システムにおける操作性の向上に関する。
【０００２】
【従来の技術】
被写体の画像データから顔領域の外接矩形を指定し、この顔領域が証明写真の規格として定められた用途別の画像の縦横寸法の内部に納まるように演算することで、画像の切り出し矩形領域を求める方法（特開２００１−３４７４４）がある。
【０００３】
【発明が解決しようとする課題】
ユーザの中には、丸みを帯びた人物の顔の輪郭と矩形ではイメージが異なるために、被写体画像上に表示された矩形を見ても「顔を囲む」という操作を直感的にはわかりにくく、最終的な「画像のきりだし矩形領域を囲む」と誤解する人がいた。
【０００４】
本発明においては上記の問題点を解決し、「顔を囲む」という操作をユーザが直感的にイメージできるように、操作性を向上することを目的とする。
【０００５】
【課題を解決するための手段】
上記目的を達成するために本発明の請求項１においては、入力画像データ上で指定された顔領域の外接矩形から、所望の証明写真に必要な画像の切り出し領域を算出し、その切り出し画像を出力装置に供給する証明写真システムであって、顔範囲領域を示す矩形表示に加えて、その矩形内に楕円を表示することを特徴とする証明写真システムを実現したものである。
【０００６】
請求項２においては、請求項１で表示される楕円をシステム内に設けられたスイッチ機能によって非表示にもできることを特徴とする請求項１に記載の証明写真システムを実現したものである。
【０００７】
【発明の実施の形態】
以下、本発明について図面を参照して詳細に説明する。
【０００８】
図１は、本発明の一実施例の証明写真システムの構成を示すブロック図である。この証明写真システムは、中央処理装置１と、記憶装置２と、キーボード３と、マウス４と、表示装置５と、画像入力装置６と、画像出力装置７とから、その主用部が構成されている。
【０００９】
図２は、本発明の［請求項目１］の一実施例に係る証明写真システムを示すフローチャートである。
【００１０】
中央処理装置１が画像入力装置６に対して画像の入力を指示すると、被写体画像データが読み込まれて記憶装置２に保存される。
【００１１】
中央処理装置１は、読み込んだ被写体画像を表示装置５にディスプレイ表示する。同時に、その縮小画像に重ねて、顔の外接矩形領域を指示するための矩形マークＲ０と、その矩形に内接する楕円マークＤ０を表示する。（Ｓ２０１）
Ｒ０＝（Ｘ０１，Ｙ０１）−  （Ｘ０２，Ｙ０２）
Ｄ０＝  中心座標：（（Ｘ０１＋Ｘ０２）／２，（Ｙ０１＋Ｙ０２）／２）、横径：Ｘ０２−Ｘ０１、縦径：Ｙ０２−Ｙ０１
図３は、（Ｓ２０１）において表示装置５に表示される被写体画像と顔の外接矩形マークと楕円マークの画面表示例である。
【００１２】
キーボード３またはマウス４を使って、図３における矩形マークの位置ないしサイズをユーザが変更すると、その編集操作に附随してマーク矩形に内接する楕円を算出して、楕円マークの表示も更新する。（Ｓ２０２）
Ｒ０’＝（Ｘ０’１，Ｙ０’１）−  （Ｘ０’２，Ｙ０’２）
Ｄ０’＝  中心座標：（（Ｘ０’１＋Ｘ０’２）／２，（Ｙ０’１＋Ｙ０’２）／２）、横径：Ｘ０’２−Ｘ０’１、縦径：Ｙ０’２−Ｙ０’１
矩形マークの編集操作によって顔の輪郭を囲む作業を終了すると、ユーザはキーボード３またはマウス４を使って操作完了ボタンを押下する。この通知を受けて、中央処理装置１は、図３でユーザが設定した入力画像データ上の顔領域矩形の座標情報  Ｒ１（図４左図）を取得する。（Ｓ２０３）
Ｒ１＝（Ｘ１１，Ｙ１１）−  （Ｘ１２，Ｙ１２）
続いて中央処理装置１は、先に記憶装置２に保持していた証明写真のデータテーブルからこの証明写真を出力する際の実寸法（ｗ，ｈ）と、この出力における顔範囲が相当する場所＝注目領域矩形の座標情報  Ｒ２（図４右図）を取得する。（Ｓ２０４）
Ｒ２＝（Ｘ２１，Ｙ２１）−  （Ｘ２２，Ｙ２２）
中央処理装置１は、Ｒ１とＲ２より入力画像データと証明写真の実出力データとの間のサイズ比Ｄを次式で求める。
【００１３】
Ｄ  ＝  Ｒ１  ／  Ｒ２
ここで矩形の縦と横をどちらを優先してサイズ比を求めるかは自由であるが、証明写真が目的とする顔情報は、縦方向を主として計算する方が信頼性が高いので、ここでは縦方向を採用して以降の処理を継続する。
【００１４】
Ｄｈ  ＝  （Ｙ１２  −  Ｙ１１）  ／  （Ｙ２２  −  Ｙ２１）
図４で示すところの左右の図形の各座標値には、以下のような比例式が成り立つ。
【００１５】
Ｘｔ１−Ｘ１１  ：  Ｘ１１−Ｘ１２  ：  Ｘ１２−Ｘｔ２  ＝  ｗ−Ｘ２１  ：  Ｘ２１−Ｘ２２  ：  Ｘ２２
Ｙｔ１−Ｙ１１  ：  Ｙ１１−Ｙ１２  ：  Ｙ１２−Ｙｔ２  ＝  ｈ−Ｙ２１  ：  Ｙ２１−Ｙ２２  ：  Ｙ２２
上記比例式に前述のＤｈを代入して解けば、図４左図で示すところの（Ｘｔ１，Ｙｔ１）（Ｘｔ２，Ｙｔ２）で囲まれる切り出し領域矩形  Ｒｔは算出できる。（Ｓ２０５）
Ｘｔ１  ＝  Ｘ１１  ＋  （ｗ−Ｘ２１）×  Ｄｈ
Ｙｔ１  ＝  Ｙ１１  ＋  （ｈ−Ｙ２１）×  Ｄｈ
Ｘｔ２  ＝  Ｘ１２  −  Ｘ２２×  Ｄｈ
Ｙｔ２  ＝  Ｙ１２  −  Ｙ２２×  Ｄｈ
このＲｔこそが、実サイズ（ｗ，ｈ）の証明写真の注目領域Ｒ２（Ｘ２１，Ｙ２１）（Ｘ２２，Ｙ２２）に、入力画像データの顔領域Ｒ１（Ｘ１１，Ｙ１１）（Ｘ１２，Ｙ１２）をはめ込むときに必要となる画像切り出し領域になる。よって中央処理装置１は、このＲｔなる領域を表示装置５に表示し、ユーザの確認を得た後に、画像出力装置７からこの切り出し画像を印刷する。以上手順を経て、本証明写真システムは所望の顔位置に所望の大きさで顔がはめ込まれた証明写真を提供することができる。
【００１６】
図５は、本発明の［請求項目２］の一実施例に係る表示切り替えスイッチである。
【００１７】
キーボード３またはマウス４を使って、図５におけるラジオボタンの選択状態を変更できる。ここで確定したマークの表示情報は、記憶装置２に保存される。中央処理装置１は、画像入力装置１から入力した画像を表示装置５に表示する際に、記憶装置２に保持しているマークの表示情報を読みだし、その設定状況に合わせてマークの表示を行う。
【００１８】
本発明は、Ｓ２０１ないしＳ２０２で使用する楕円を求める算術式がいかなるものであっても特化されない。
【００１９】
図３に示すマークの表示は一例に過ぎず、矩形及び楕円のマークの表現方法（色・太さ・線種など）に本発明は特化されない。
【００２０】
図５に示す切り替えスイッチの表示は一例に過ぎない。例えば、マークの表現方法（色・太さ・線種など）を変更する操作をここに加えたとしても、本発明はその内容に特化されない。
【００２１】
【発明の効果】
以上説明したように本発明は次の効果を有する。
【００２２】
請求項１によれば、入力画像データ上で指定された顔領域の外接矩形から、所望の証明写真に必要な画像の切り出し領域を算出し、その切り出し画像を出力装置に供給する証明写真システムであって、顔範囲領域を示す矩形表示に加えて、その矩形内に楕円を表示することを特徴とする証明写真システムを実現したことによって、人物の顔輪郭に近い楕円表示の利用で「顔を囲む」という操作をユーザが直感的にイメージできるように操作性を向上するという効果がある。
【００２３】
請求項２によれば、請求項１で表示される楕円をシステム内に設けられたスイッチ機能によって非表示にもできることを特徴とする請求項１に記載の証明写真システムを実現したことによって、表示の煩雑性を感じるユーザにとっては簡易な表示を提供できるという効果がある。
【図面の簡単な説明】
【図１】本発明の一実施例である証明写真システムの構成を示すブロック図
【図２】［請求項目１］の一実施例である証明写真システムを示すフローチャート
【図３】［請求項目１］による証明写真システムを用いた顔範囲表示の実例
【図４】実施例の説明で用いた顔領域矩形と画像きりだし領域矩形の関係図
【図５】［請求項目２］による証明写真システムを用いた表示切り替えの実例
【符号の説明】
１  中央処理装置
２  記憶装置
３  キーボード
４  マウス
５  表示装置
６  画像入力装置
７  画像出力装置
【図１】
2004348199.tif 000003
【図２】
2004348199.tif 000004
【図３】
2004348199.tif 000005
【図４】
2004348199.tif 000006
【図５】
2004348199.tif 000007